(57)【要約】【課題】硬貨の出金処理の処理内容を変更する。【解決手段】  出金する硬貨の処理内容が規定された出金モードに従って硬貨の出金処理を行う硬貨処理装置を、硬貨の収納及び繰り出しを行う収納部と、収納部が繰り出した硬貨を搬送する搬送部と、搬送部が搬送する硬貨を識別する識別部と、搬送部が搬送した硬貨を出金する出金部と、出金部に出金する硬貨を一時保留する一時保留部とによって構成し、識別部による識別処理を行うか否かと、一時保留部による一時保留処理を行うか否かとを組み合わせて得られる複数種類の出金モードの中から、選択された出金モードで出金処理を行う。【選択図】図５
2020190824.tif 000002
【特許請求の範囲】
【請求項１】
出金する硬貨の処理内容が規定された出金モードに従って前記硬貨の出金処理を行う硬貨処理装置であって、
硬貨の収納及び繰り出しを行う収納部と、
前記収納部が繰り出した硬貨を搬送する搬送部と、
前記搬送部が搬送する硬貨を識別する識別部と、
前記搬送部が搬送した硬貨を出金する出金部と、
前記出金部に出金する硬貨を一時保留する一時保留部と
を備え、
前記識別部による識別処理を行うか否かと、前記一時保留部による一時保留処理を行うか否かとを組み合わせて得られる複数種類の出金モードの中から、選択された出金モードで出金処理を行う
ことを特徴とする硬貨処理装置。
【請求項２】
前記複数種類の出金モードは、
前記識別処理及び前記一時保留処理の両方を除外した第１モードと、
前記識別処理を除外し、前記一時保留処理を行う第２モードと、
前記識別処理を行い、前記一時保留処理を除外した第３モードと、
前記識別処理及び前記一時保留処理の両方を行う第４モードと
を含む
ことを特徴とする請求項１に記載の硬貨処理装置。
【請求項３】
前記出金モードを手動で選択するための操作部をさらに備えることを特徴とする請求項１又は２に記載の硬貨処理装置。
【請求項４】
前記出金モードの選択条件が設定された設定情報を記憶する記憶部
をさらに備え、
前記出金処理を行う際に、前記設定情報に基づいて出金モードが自動的に選択される
ことを特徴とする請求項１〜３のいずれか１項に記載の硬貨処理装置。
【請求項５】
前記出金モードは、前記出金処理を行う利用者の識別情報に応じて自動選択されることを特徴とする請求項４に記載の硬貨処理装置。
【請求項６】
前記出金モードは、前記出金処理が行われる時刻と曜日と日付と月との少なくともいずれか１つに基づいて自動選択されることを特徴とする請求項４又は５に記載の硬貨処理装置。
【請求項７】
前記出金モードは、前記収納部に収納された硬貨の金種を１金種に確定できるか否かに基づいて自動選択されることを特徴とする請求項４〜６のいずれか１項に記載の硬貨処理装置。
【請求項８】
前記設定情報は、複数種類の選択条件を含み、
前記出金モードは、各選択条件の優先度に基づいて自動選択される
ことを特徴とする請求項４〜７のいずれか１項に記載の硬貨処理装置。
【請求項９】
前記複数種類の出金モードは、
前記一時保留部が、前記一時保留処理を行う出金モードと、
前記一時保留部が、前記収納部から繰り出された複数枚の硬貨を順に収納しながら、収納した硬貨を１枚ずつ前記識別部に向けて繰り出す繰出処理を行う出金モードと
を含む
ことを特徴とする請求項１〜８のいずれか１項に記載の硬貨処理装置。
【請求項１０】
前記一時保留部は、
前記識別部が硬貨を識別する前に前記硬貨を一時保留する第１一時保留部と、
前記識別部が硬貨を識別した後に前記硬貨を一時保留する第２一時保留部と
を含み、
前記複数種類の出金モードは、
前記第１一時保留部が前記一時保留処理を行う出金モードと、
前記第２一時保留部が前記一時保留処理を行う出金モードと
を含む
ことを特徴とする請求項１〜９のいずれか１項に記載の硬貨処理装置。
【請求項１１】
前記複数種類の出金モードは、
前記収納部が繰り出した硬貨が、前記第１一時保留部で一時保留された後、前記識別部を経ずに、前記出金部に出金される出金モードと、
前記収納部が繰り出した硬貨が、前記識別部で識別されて前記第２一時保留部で一時保留された後、前記出金部に出金される出金モードと
を含む
ことを特徴とする請求項１０に記載の硬貨処理装置。
【請求項１２】
出金する硬貨の処理内容が規定された出金モードに従って前記硬貨の出金処理を行う硬貨処理方法であって、
収納部が、該収納部に収納された硬貨を搬送路に繰り出す工程と、
搬送部が、前記搬送路に繰り出された硬貨を搬送する工程と、
出金部が、前記搬送部が搬送した硬貨を出金する工程と
を含み、
前記搬送部が搬送する硬貨を識別部が識別する工程をさらに含むか否かと、前記出金部に出金する硬貨を一時保留部が一時保留する工程をさらに含むか否かとを組み合わせて得られる複数種類の出金モードの中から、選択された出金モードで出金処理が行われる
ことを特徴とする硬貨処理方法。
【発明の詳細な説明】
【技術分野】
【０００１】
この発明は、硬貨を処理する硬貨処理装置及び硬貨処理方法に関する。
【背景技術】
【０００２】
従来、硬貨の入金処理及び出金処理を行う硬貨処理装置が利用されている。特許文献１及び２には、回転円盤を利用して硬貨を入出金する硬貨入出金機が開示されている。入金処理時、硬貨入出金機は、入金される硬貨を貯留繰出装置に貯留する。貯留繰出装置は、回転円盤によって、収納している硬貨を１枚ずつ搬送路に繰り出す。繰り出された硬貨は、搬送路に沿って搬送されて識別部で識別される。識別部は、硬貨の金種及び真偽を識別する。識別された硬貨は、複数の収納繰出装置を利用して金種別に収納される。
【０００３】
出金処理時、収納繰出装置は、回転円盤によって、収納している硬貨を１枚ずつ搬送路に繰り出す。特許文献１の硬貨入出金機は、搬送路に繰り出された硬貨を識別部で識別して一時保留装置に一時保留し、出金する硬貨全てが一時保留装置内に揃った後、全ての硬貨を硬貨投出口から同時に出金する。一方、特許文献２の硬貨入出金機は、硬貨の識別処理及び一時保留処理を行わず、搬送路に繰り出された複数枚の硬貨を順に投出口に出金する。
【先行技術文献】
【特許文献】
【０００４】
【特許文献１】国際公開第２００８／０９９４７７号
【特許文献２】特開２０１２−１７４０３９号公報
【発明の概要】
【発明が解決しようとする課題】
【０００５】
しかしながら、上記従来技術では、硬貨処理装置の利用者の要望に対応できない場合があった。例えば、特許文献１にあるように全ての硬貨を同時に出金する出金処理と、特許文献２にあるように収納部から繰り出した硬貨を順に出金する出金処理とを切り替えて利用したいとする利用者が存在する。識別処理及び一時保留処理に関して特許文献１及び２と異なる態様で出金処理を行いたいとする利用者も存在する。従来の硬貨処理装置では、これらの要望に対応することができない。
【０００６】
本発明は、上記従来技術による課題に鑑みてなされたもので、硬貨の出金処理の処理内容を変更することができる硬貨処理装置及び硬貨処理方法を提供することを目的とする。
【課題を解決するための手段】
【０００７】
上述した課題を解決し、目的を達成するため、本発明は、出金する硬貨の処理内容が規定された出金モードに従って前記硬貨の出金処理を行う硬貨処理装置であって、硬貨の収納及び繰り出しを行う収納部と、前記収納部が繰り出した硬貨を搬送する搬送部と、前記搬送部が搬送する硬貨を識別する識別部と、前記搬送部が搬送した硬貨を出金する出金部と、前記出金部に出金する硬貨を一時保留する一時保留部とを備え、前記識別部による識別処理を行うか否かと、前記一時保留部による一時保留処理を行うか否かとを組み合わせて得られる複数種類の出金モードの中から、選択された出金モードで出金処理を行うことを特徴とする。
【０００８】
また、本発明は、上記発明において、前記複数種類の出金モードは、前記識別処理及び前記一時保留処理の両方を除外した第１モードと、前記識別処理を除外し、前記一時保留処理を行う第２モードと、前記識別処理を行い、前記一時保留処理を除外した第３モードと、前記識別処理及び前記一時保留処理の両方を行う第４モードとを含むことを特徴とする。
【０００９】
また、本発明は、上記発明において、前記出金モードを手動で選択するための操作部をさらに備えることを特徴とする。
【００１０】
また、本発明は、上記発明において、前記出金モードの選択条件が設定された設定情報を記憶する記憶部をさらに備え、前記出金処理を行う際に、前記設定情報に基づいて出金モードが自動的に選択されることを特徴とする。
【００１１】
また、本発明は、上記発明において、前記出金モードは、前記出金処理を行う利用者の識別情報に応じて自動選択されることを特徴とする。
【００１２】
また、本発明は、上記発明において、前記出金モードは、前記出金処理が行われる時刻と曜日と日付と月との少なくともいずれか１つに基づいて自動選択されることを特徴とする。
【００１３】
また、本発明は、上記発明において、前記出金モードは、前記収納部に収納された硬貨の金種を１金種に確定できるか否かに基づいて自動選択されることを特徴とする。
【００１４】
また、本発明は、上記発明において、前記設定情報は、複数種類の選択条件を含み、前記出金モードは、各選択条件の優先度に基づいて自動選択されることを特徴とする。
【００１５】
また、本発明は、上記発明において、前記複数種類の出金モードは、前記一時保留部が、前記一時保留処理を行う出金モードと、前記一時保留部が、前記収納部から繰り出された複数枚の硬貨を順に収納しながら、収納した硬貨を１枚ずつ前記識別部に向けて繰り出す繰出処理を行う出金モードとを含むことを特徴とする。
【００１６】
また、本発明は、上記発明において、前記一時保留部は、前記識別部が硬貨を識別する前に前記硬貨を一時保留する第１一時保留部と、前記識別部が硬貨を識別した後に前記硬貨を一時保留する第２一時保留部とを含み、前記複数種類の出金モードは、前記第１一時保留部が前記一時保留処理を行う出金モードと、前記第２一時保留部が前記一時保留処理を行う出金モードとを含むことを特徴とする。
【００１７】
また、本発明は、上記発明において、前記複数種類の出金モードは、前記収納部が繰り出した硬貨が、前記第１一時保留部で一時保留された後、前記識別部を経ずに、前記出金部に出金される出金モードと、前記収納部が繰り出した硬貨が、前記識別部で識別されて前記第２一時保留部で一時保留された後、前記出金部に出金される出金モードとを含むことを特徴とする。
【００１８】
また、本発明は、出金する硬貨の処理内容が規定された出金モードに従って前記硬貨の出金処理を行う硬貨処理方法であって、収納部が、該収納部に収納された硬貨を搬送路に繰り出す工程と、搬送部が、前記搬送路に繰り出された硬貨を搬送する工程と、出金部が、前記搬送部が搬送した硬貨を出金する工程とを含み、前記搬送部が搬送する硬貨を識別部が識別する工程をさらに含むか否かと、前記出金部に出金する硬貨を一時保留部が一時保留する工程をさらに含むか否かとを組み合わせて得られる複数種類の出金モードの中から、選択された出金モードで出金処理が行われることを特徴とする。
【発明の効果】
【００１９】
本発明によれば、硬貨処理装置は、出金処理時に行われる硬貨の処理内容が異なる複数種類の出金モードの中から、選択された出金モードで出金処理を実行することができる。出金する硬貨の識別処理を行うか否かと、一時保留処理を行うか否かとの少なくともいずれか一方が異なる複数種類の出金モードが予め準備されている。これにより、硬貨処理装置は、利用者の要望に応じた出金処理を行うことができる。
【図面の簡単な説明】
【００２０】
【図１】図１は、本実施形態に係る硬貨処理装置の外観図である。
【図２】図２は、硬貨処理部の内部構成概略を示す模式図である。
【図３】図３は、硬貨処理部の機能構成概略を示すブロック図である。
【図４】図４は、入金処理を説明するための模式図である。
【図５】図５は、硬貨処理装置が行う出金処理の種類を説明するための図である。
【図６】図６は、第１モードのダイレクト出金を説明するための模式図である。
【図７】図７は、第２モードの一時保留出金を説明するための模式図である。
【図８】図８は、第３モードの精査出金を説明するための模式図である。
【図９】図９は、第４モードの精査一時保留出金を説明するための模式図である。
【図１０】図１０は、手動操作及び自動制御による出金モードの切替方法を示すフローチャートである。
【発明を実施するための形態】
【００２１】
以下、添付図面を参照しながら、本発明に係る硬貨処理装置及び硬貨処理方法の実施の形態について説明する。図１は、本実施形態に係る硬貨処理装置１の外観図である。図１に示すように、硬貨処理装置１は、硬貨処理部２と操作表示部３とを含む。
【００２２】
硬貨処理部２は、硬貨を入金するための入金部１０及び硬貨を出金するための出金部２０を有する。図１において出金部２０が設けられた面が硬貨処理部２の前面である。入金部１０は硬貨処理部２の上面に設けられている。硬貨処理部２は、右側面にカバー２ａを有する。このカバー２ａを開いてカセット３０（図２参照）が着脱される。なお、図２、図４及び図６〜９では、図の左側が、硬貨処理部２の前方である。
【００２３】
操作表示部３は、貨幣処理に関する情報を入力するための操作部として機能する。操作表示部３は、貨幣処理に関する情報を表示する表示部としても機能する。貨幣処理には、硬貨の入金処理、出金処理、回収処理及び補充処理が含まれる。例えば、タッチパネル式の液晶表示装置が操作表示部３として利用される。操作表示部３が、硬貨処理部２から独立して設けられる態様に限定されず、硬貨処理部２が、操作表示部を含む態様であってもよい。図１に示す操作表示部３のように操作部と表示部とが一体である態様に限定されず、操作部と表示部とが独立して設けられる態様であってもよい。
【００２４】
図２は、硬貨処理部２の内部構成概略を示す模式図である。硬貨処理部２は、入金部１０、出金部２０、カセット３０、収納部４０（４０ａ〜４０ｈ）、搬送部５０（５０ａ、５０ｂ）、シュート５１（５１ａ〜５１ｃ）、識別部７０、繰出部８０、一時保留部９０（９０ａ、９０ｂ）及びゲート９１（９１ａ、９１ｂ）を有する。
【００２５】
収納部４０及び繰出部８０は、複数枚の硬貨の収納と、収納している硬貨の繰り出しとを行う。収納部４０及び繰出部８０は、回転円盤を有し、傾斜した状態で回転する回転円盤によって硬貨を１枚ずつ繰り出す。回転円盤は、径方向外側領域にある複数の突起部材によって硬貨を１枚ずつ拾い上げて繰り出す。回転円盤による硬貨の繰出方法は従来技術であるため詳細な説明は省略する。
【００２６】
入金部１０は、入金処理時に、入金される硬貨を受ける。硬貨処理部２の上面にある開口部から硬貨が入金部１０内に投入される。入金部１０が受けた硬貨は、繰出部８０内に落下する。繰出部８０は、落下した硬貨を収納し、収納した硬貨を１枚ずつ、搬送部５０ａを構成する搬送路に繰り出す。搬送部５０ａは、繰出部８０が繰り出した硬貨を搬送路に沿って搬送する。識別部７０は、搬送路を搬送される硬貨を識別して計数する。識別部７０は、例えば、硬貨の金種、真偽、正損を識別して、硬貨の金種別の枚数及び金額と、合計枚数及び合計金額とを計数する。識別部７０による識別結果に基づいて各硬貨の収納先が決定される。
【００２７】
搬送路には、複数のシュート５１が接続されている。シュート５１は、識別部７０より搬送方向下流の搬送路に設けられている。シュート５１ａはカセット３０と搬送路とを接続している。複数のシュート５１ｂは複数の収納部４０と搬送路とを一対一の関係で接続している。図２、図４及び図６〜９では、煩雑さを避けるため、シュート５１ｂは一部のみを示している。シュート５１ｃは出金部２０と搬送路とを接続している。搬送路に形成されたシュート５１の開口部は、通常、閉じたゲートによって閉塞されている。搬送路を搬送される硬貨は、閉じたゲートの上を通過する。硬貨の収納先に対応するシュート５１のゲートが開くと、硬貨は搬送路の開口部からシュート５１内に落下する。落下した硬貨は、シュート５１を介して、出金部２０、カセット３０、収納部４０のいずれかに送られる。例えば、入金処理時、入金できない硬貨は、リジェクト硬貨として、出金部２０に返却される。一方、入金可能な硬貨は、複数の収納部４０ａ〜４０ｈに金種別に収納される。
【００２８】
各収納部４０ａ〜４０ｈに収納する硬貨の種類は予め設定することができる。設定は、１つの収納部４０に一種類の硬貨を収納する設定とすることもできるし、複数種類の硬貨を収納する設定とすることもできる。収納する硬貨の種類は、例えば、金種、真偽、正損の少なくともいずれか１つを指定することによって設定される。
【００２９】
収納部４０は、入金処理時には入金された硬貨を収納し、出金処理時には出金する硬貨を１枚ずつ繰り出す。収納部４０より下方に、搬送路を含む搬送部５０ｂが設けられている。収納部４０から繰り出された硬貨は、搬送部５０ｂの搬送路上に落下する。搬送部５０ｂの搬送路は、全ての収納部４０ａ〜４０ｈから繰り出された硬貨を受けて、受けた硬貨を繰出部８０へ搬送するように配設されている。
【００３０】
繰出部８０の底面には、開閉可能なゲート９１ａが設けられている。繰出部８０と出金部２０との間を仕切るゲート９１ａは、通常閉じられている。入金処理時、繰出部８０に異物が混入した場合に、ゲート９１ａが開いて、異物が出金部２０に排出される。例えば、入金処理時に、硬貨以外の異物が入金部１０から繰出部８０に落下し、回転円盤によって繰り出されず、繰出部８０の底部に残ることがある。このような場合に、ゲート９１が開いて、落下した異物が出金部２０に返却される。出金処理時のゲート９１ａの開閉については後述する。
【００３１】
搬送部５０ｂは、収納部４０より下方の搬送路で受けた硬貨を、装置前方（図２左側）へ搬送した後、上方へ搬送する。上方へ搬送された硬貨は、繰出部８０内に落下する。繰出部８０に落下した硬貨は、複数種類の出金モードの中から選択された出金モードで処理され、出金部２０に出金される。出金部２０に出金された硬貨は、硬貨処理部２の前面に設けられた開口部から取り出すことができる。なお、出金モードとは、出金処理の実行時に硬貨処理部２内で行われる硬貨の処理内容を規定したもので、同一硬貨を出金する場合でも、出金モードが異なれば硬貨処理部２内で行われる硬貨の処理内容が異なる。出金モードの種類及び各出金モードにおける硬貨の処理内容については後述する。
【００３２】
カセット３０は、硬貨処理部２に対して着脱可能に設けられている。カセット３０は、識別部７０より下方、かつ、収納部４０より上方に配置されている。具体的には、カセット３０は、識別部７０が識別した硬貨を搬送する搬送部５０ａよりも下方の位置、かつ、全ての収納部４０ａ〜４０ｈよりも上方の位置に配置されている。カセット３０は、搬送部５０ａがシュート５１ｂに落下させた硬貨の収納と、硬貨の繰り出しとを行う。カセット３０が繰り出した硬貨は、収納部４０から繰り出された硬貨と同様に、搬送部５０ｂの搬送路上に落下する。カセット３０は、例えば、硬貨の回収及び補充に利用される。
【００３３】
硬貨処理部２から硬貨を回収する際、回収する硬貨が、収納部４０から繰り出されて搬送部５０ｂによって搬送され、繰出部８０に収納される。繰出部８０が、収納した硬貨を１枚ずつ搬送路へ繰り出して、搬送部５０ａが、繰り出された硬貨を搬送する。識別部７０が、搬送される硬貨を識別した後、硬貨はシュート５１ｃに落下してカセット３０に収納される。カセット３０に収納された硬貨は、カセット３０を硬貨処理部２から取り外すことにより、カセットごと回収される。
【００３４】
硬貨処理部２に硬貨を補充する際、補充する硬貨が収納されたカセット３０が硬貨処理部２に取り付けられる。硬貨は、カセット３０から繰り出されて搬送部５０ｂの搬送路に落下する。搬送部５０ｂは、搬送路に受けた硬貨を搬送して繰出部８０に収納する。繰出部８０が、収納した硬貨を１枚ずつ搬送路へ繰り出して、搬送部５０ａが、繰り出された硬貨を搬送する。識別部７０が硬貨を識別して、硬貨の収納先が決定される。硬貨は、収納先に対応するシュート５１に落下して収納部４０に収納される。
【００３５】
一時保留部９０は、第１一時保留部９０ａと第２一時保留部９０ｂとを含む。第１一時保留部９０ａ及び第２一時保留部９０ｂは、出金処理時に、出金する硬貨を一時的に保留する一時保留処理を行う。出金モードに応じて、第１一時保留部９０ａ又は第２一時保留部９０ｂが一時保留処理を行うが、詳細は後述する。
【００３６】
上述した繰出部８０が、第１一時保留部９０ａとして機能する。すなわち、１つの構成部が、繰出部８０として機能すると共に、第１一時保留部９０ａとして機能する。第１一時保留部９０ａは、搬送部５０ｂが搬送した硬貨を一時的に保留する一時保留処理を実行する。第１一時保留部９０ａは、一時保留した硬貨を、ゲート９１ａを開いて出金部２０へ放出する。
【００３７】
第２一時保留部９０ｂは、繰出部８０とは別に設けられている。シュート５１に落下せずに搬送を続けられた硬貨が第２一時保留部９０ｂに一時的に保留される。第２一時保留部９０ｂの底面には、開閉可能なゲート９１ｂが設けられている。第２一時保留部９０ｂと繰出部８０との間を仕切るゲート９１ｂは、通常閉じられている。ゲート９１ｂが開くと、第２一時保留部９０ｂが保留する硬貨が、繰出部８０内に落下する。第２一時保留部９０ｂは、搬送部５０ａが搬送した硬貨を一時的に保留する一時保留処理を実行する。第２一時保留部９０ｂは、一時保留した硬貨を、ゲート９１ｂを開いて繰出部８０へ放出する。
【００３８】
図３は、硬貨処理部２の機能構成概略を示すブロック図である。硬貨処理部２は、図２に示した構成の他に、記憶部１００及び制御部１１０を含む。記憶部１００は、不揮発性の記憶装置である。記憶部１００には、貨幣処理に関する情報が保存される。例えば、硬貨処理部２が行う貨幣処理の種類に関する情報と、各貨幣処理の実行に必要な設定情報とが記憶部１００に保存される。
【００３９】
制御部１１０は、図３に示す各部の機能及び動作を制御して貨幣処理を実行する。制御部１１０は、操作表示部３による情報の入力を受け付けると共に、操作表示部３に情報を出力して表示する。制御部１１０が、操作表示部３で行われた操作に基づいて、記憶部１００に保存された各種情報を参照しながら各部を制御することにより、本実施形態に記載する硬貨処理装置１の機能及び動作が実現される。
【００４０】
次に、硬貨処理装置１が行う硬貨処理について説明する。図４は、入金処理を説明するための模式図である。図４（ａ）に示すように、入金部１０に投入された硬貨２００は繰出部８０に落下する。繰出部８０は、多数枚の硬貨２００を収納することができる。図４（ｂ）に示すように、繰出部８０から繰り出された硬貨は、搬送部５０ａにより、搬送路に沿って１枚ずつ搬送される。搬送路を搬送される硬貨は、識別部７０によって識別計数された後、シュート５１に落下して収納部４０に収納される。図４（ｂ）は、硬貨２００が収納部４０ｄに収納される例を示しているが、硬貨の収納先は、カセット３０及び収納部４０ａ〜４０ｈの中から選択される。例えば、複数の収納部４０ａ〜４０ｈに金種別に硬貨が収納される。入金処理時に収納部４０に収納された硬貨は、出金処理時に収納部４０から繰り出されて出金部２０に出金される。
【００４１】
硬貨処理装置１は、処理内容の異なる複数種類の出金処理を行うことができる。図５は、硬貨処理装置１が行う出金処理の種類を説明するための図である。図５に示すように、各出金処理は、出金モードによって区別される。出金モードが選択されると、硬貨処理装置１は、選択された出金モードに対応する出金処理を実行する。出金モードは手動又は自動で選択されるが詳細は後述する。
【００４２】
硬貨処理装置１は、第１〜第４モードの４種類の出金モードのいずれかに応じた出金処理を行う。第１モードはダイレクト出金に対応し、第２モードは一時保留出金に対応し、第３モードは精査出金に対応し、第４モードは精査一時保留出金に対応している。
【００４３】
第１モードが選択された場合、硬貨処理装置１はダイレクト出金を実行する。図５に示すように、ダイレクト出金は、出金する硬貨に対して、一時保留部９０による一時保留処理及び識別部７０による識別処理の両方を行わない出金処理である。すなわち、出金する硬貨の処理内容から一時保留処理及び識別処理が除外された出金処理である。
【００４４】
図６は、第１モードのダイレクト出金を説明するための模式図である。図６に示すように、出金する硬貨が、収納部４０から繰り出されて、搬送部５０ｂの搬送路上に落下する。搬送部５０ｂは、搬送路に受けた硬貨を順に繰出部８０へ搬送する。第１モードでは、繰出部８０の底面にあるゲート９１ａは開いている。このため、繰出部８０内に落下した硬貨は、繰出部８０に収納されることなく出金部２０に落下する。このため、出金する硬貨は識別部７０に搬送されず、識別処理は行われない。こうして出金部２０に硬貨２００が出金される。
【００４５】
第２モードが選択された場合、硬貨処理装置１は一時保留出金を実行する。図５に示すように、一時保留出金は、出金する硬貨に対して、第１一時保留部９０ａによる一時保留処理を行い、識別部７０による識別処理を行わない出金処理である。すなわち、出金する硬貨の処理内容から識別処理が除外された出金処理である。第２モードでは、繰出部８０が第１一時保留部９０ａとして機能する。繰出部８０が第１一時保留部９０ａとして機能する際、硬貨の繰出処理は行われないため、回転円盤は回転しない。
【００４６】
図７は、第２モードの一時保留出金を説明するための模式図である。図７（ａ）に示すように、出金する硬貨が、収納部４０から繰り出されて、搬送部５０ｂの搬送路上に落下する。搬送部５０ｂは、搬送路に受けた硬貨を順に第１一時保留部９０ａへ搬送する。第２モードでは、第１一時保留部９０ａの底面にあるゲート９１ａは閉じられている。第１一時保留部９０ａは、搬送部５０ｂから受けた硬貨２００を一時的に保留する一時保留処理を実行する。出金する硬貨全てが第１一時保留部９０ａ内に保留された後、図７（ｂ）に示すようにゲート９１ａが開き、硬貨２００が出金部２０に落下する。このため、出金する硬貨は識別部７０に搬送されず、識別処理は行われない。こうして、第１一時保留部９０ａに一時保留されていた全ての硬貨２００が略同時に出金部２０に出金される。
【００４７】
第３モードが選択された場合、硬貨処理装置１は精査出金を実行する。図５に示すように、精査出金は、出金する硬貨に対して、識別部７０による識別処理を行い、一時保留部９０による一時保留処理を行わない出金処理である。すなわち、出金する硬貨の処理内容から一時保留処理が除外された出金処理である。第３モードでは、繰出部８０は、一時保留処理を行わず、硬貨の繰出処理を行う。このため、繰出部８０は、出金処理の開始後、回転円盤を回転させて硬貨の繰出処理を開始する。
【００４８】
図８は、第３モードの精査出金を説明するための模式図である。図８（ａ）に示すように、出金する硬貨が、収納部４０から繰り出されて、搬送部５０ｂの搬送路上に落下する。搬送部５０ｂは、搬送路に受けた硬貨を順に繰出部８０へ搬送する。第３モードでは、繰出部８０の底面にあるゲート９１ａは閉じられている。このため、繰出部８０内に硬貨２００が貯まる。繰出部８０は、搬送部５０ｂから硬貨を受けて収納しながら、収納した硬貨を１枚ずつ搬送部５０ａの搬送路へ繰り出す繰出処理を行う。一時保留処理では、１回の取引で出金する硬貨全てが一時保留部９０内に揃うまで硬貨の一時保留が続けられるのに対して、繰出処理では、出金する硬貨の繰出部８０内への収納と収納した硬貨の繰り出しとが並行して行われる。
【００４９】
図８（ｂ）に示すように、繰出部８０の硬貨は、搬送部５０ａの搬送路へ繰り出される。繰り出された硬貨は、搬送部５０ａにより、搬送路に沿って搬送される。識別部７０は、搬送路を搬送される硬貨の識別処理を実行する。識別部７０で識別計数された硬貨はシュート５１ｃから出金部２０へ送られる。こうして出金部２０に１枚ずつ硬貨２００が出金される。
【００５０】
第４モードが選択された場合、硬貨処理装置１は精査一時保留出金を実行する。図５に示すように、精査一時保留出金は、出金する硬貨に対して、第２一時保留部９０ｂによる一時保留処理と識別部７０による識別処理の両方を行う出金処理である。第４モードでは、繰出部８０は、一時保留処理を行わず、硬貨の繰出処理を行う。このため、繰出部８０は、出金処理の開始後、回転円盤を回転させて硬貨の繰出処理を開始する。
【００５１】
図９は、第４モードの精査一時保留出金を説明するための模式図である。図９（ａ）に示すように、出金する硬貨が、収納部４０から繰り出されて、搬送部５０ｂの搬送路上に落下する。搬送部５０ｂは、搬送路に受けた硬貨を順に繰出部８０へ搬送する。第４モードでは、繰出部８０の底面にあるゲート９１ａは閉じられている。このため、繰出部８０内に硬貨２００が貯まる。繰出部８０は、搬送部５０ｂから硬貨を受けて収納しながら、収納した硬貨を１枚ずつ搬送部５０ａの搬送路へ繰り出す繰出処理を行う。
【００５２】
図９（ｂ）に示すように、繰出部８０の硬貨は、搬送部５０ａの搬送路へ繰り出される。識別部７０は、搬送路を搬送される硬貨の識別処理を実行する。識別部７０で識別計数された硬貨は、シュート５１に落下することなく第２一時保留部９０ｂに搬送される。第２一時保留部９０ｂの底面にあるゲート９１ｂは閉じられている。第２一時保留部９０ｂは、搬送部５０ａから受けた硬貨を一時的に保留する一時保留処理を実行する。
【００５３】
出金する硬貨全てが第２一時保留部９０ｂ内に保留された後、図９（ｃ）に示すように、２つのゲート９１ａ、９１ｂが開き、第２一時保留部９０ｂから放出された硬貨が繰出部８０に収納されることなく出金部２０に落下する。こうして、第２一時保留部９０ｂに一時保留されていた全ての硬貨２００が略同時に出金部２０に出金される。
【００５４】
硬貨の一時保留処理を行っている間に、一時保留部９０に保留した硬貨の金種及び枚数を確定できない不確定状態になることがある。例えば、搬送部５０ａが２枚の硬貨を重なった状態で搬送して識別部７０が各硬貨を識別できなかった場合に不確定状態になる。
【００５５】
第４モードで図９（ｂ）に示すように一時保留処理を行っている間に不確定状態になった場合、硬貨処理装置１は、これに対応する処理を実行する。まず、硬貨処理装置１は、繰出部８０の回転円盤を停止して繰出処理を中断する。硬貨処理装置１は、図９（ｄ）に示すように、繰出部８０底面のゲート９１ａを閉じたまま第２一時保留部９０ｂのゲート９１ｂを開き、第２一時保留部９０ｂ内の硬貨２００を繰出部８０へ戻し、搬送部５０ａが搬送中の硬貨を第２一時保留部９０ｂを介して繰出部８０へ戻す。全ての硬貨が繰出部８０に戻された後、硬貨処理装置１は、第２一時保留部９０ｂのゲート９１ｂを閉じて、図９（ｂ）に示すように、再度、硬貨の識別計数を開始する。すなわち、硬貨処理装置１は、出金する硬貨の識別処理をやり直す。出金する硬貨全てが第２一時保留部９０ｂに保留された後、硬貨処理装置１は、図９（ｃ）に示すように出金部２０に出金する。これにより、不確定状態になった場合でも、出金処理を中止せず、硬貨を出金することができる。
【００５６】
不確定状態になった場合の処理は、設定により変更することができる。例えば、図９（ｄ）に示すように繰出部８０へ硬貨を戻した後、繰出部８０の硬貨を搬送部５０ａの搬送路へ繰り出してシュート５１ａからカセット３０へ回収し、出金処理をやり直す設定とすることもできる。また、例えば、繰出部８０の硬貨を搬送部５０ａの搬送路へ繰り出して識別部７０で識別し、対応する収納部４０へ戻した後に、出金処理をやり直す設定とすることもできる。
【００５７】
硬貨処理装置１の出金モードは、硬貨処理装置１の利用者が手動で選択することができる。利用者は、操作表示部３を操作して、第１〜第４モードから出金モードを選択する。利用者が、出金モードを選択すると、硬貨処理装置１は、選択された出金モードで出金処理を実行する。
【００５８】
例えば、店舗のチェックアウトカウンターでキャッシュレジスタを担当するレジ係が、硬貨処理装置１を使用する場合、釣銭出金用の出金モードとして、ダイレクト出金を行う第１モードが選択される。第１モードでは一時保留処理及び識別処理は行われず、他のモードに比べて短時間で出金処理を終えることができる。このため客を長時間待たせることなく釣銭を出金することができる。
【００５９】
また、例えば、店舗のセルフチェックアウトカウンター（セルフレジ）で、客が硬貨処理装置１を使用して精算処理を行う場合、釣銭出金用の出金モードとして、一時保留出金を行う第２モード、又は精査一時保留出金を行う第４モードが選択される。第１モード及び第３モードでは釣銭を構成する硬貨が１枚又は数枚ずつ順に出金されるため、全ての硬貨が出金される前に、客が、出金処理が終わったと勘違いして、出金された硬貨の一部を取り忘れる可能性がある。このため、出金モードは、釣銭硬貨全てが略同時に出金される第２モード又は第４モードに設定される。例えば、店舗が出金処理の正確さよりも速度を優先する場合、識別処理を行わない第２モードが選択され、出金処理の速度よりも正確さを優先する場合、識別処理を行う第４モードが選択される。
【００６０】
また、例えば、硬貨処理装置１が金融機関で使用される場合、精査出金を行う第３モード、又は精査一時出金を行う第４モードが選択される。出金処理の正確さを求める金融機関では、硬貨を識別計数して出金する第３モード又は第４モードが選択される。例えば、金融機関従業者が硬貨処理装置１を操作して出金処理を行う場合、第３モードが選択され、客が硬貨処理装置１を操作して出金処理を行う場合は、硬貨の取り忘れを防止するため、硬貨全てが略同時に出金される第４モードが選択される。
【００６１】
硬貨処理装置１が、出金モードを自動選択する設定とすることもできる。硬貨処理装置１の利用者が、出金モードの選択条件を予め設定した設定情報を記憶部１００に保存する。これにより、制御部１１０は、記憶部１００に準備された選択条件に基づいて出金モードを自動選択し、選択した出金モードで出金処理を実行する。
【００６２】
硬貨処理装置１は、利用者の役割に基づいて、出金モードを自動的に切り替えることができる。利用者の役割には、例えば、管理者、一般社員、アルバイトが含まれる。各利用者を識別するためのＩＤ情報（識別情報）に、役割に応じた出金モードを関連付けた設定情報が、予め記憶部１００に準備される。硬貨処理装置１の制御部１１０は、出金処理開始前の所定のタイミングで利用者にＩＤ情報の入力を求める。利用者が操作表示部３を操作してＩＤ情報を入力すると、制御部１１０は、記憶部１００の設定情報を参照し、入力されたＩＤ情報と関連付けられた出金モードを認識する。制御部１１０は、認識した出金モードで出金処理を実行する。なお、ＩＤ情報の入力方法は特に限定されず、例えば、硬貨処理装置１に接続されたカードリーダが、利用者が有するカードからＩＤ情報を読み取る態様であってもよい。
【００６３】
例えば、硬貨処理装置１が店舗で使用される場合、店舗は、レジ係のＩＤ情報を、識別処理を行う第３モードと関連付けて、レジ係を管理する管理者のＩＤ情報を、識別処理を行わない第１モードと関連付けた設定情報を準備する。これにより、レジ係が硬貨処理装置１を使用する場合には第３モードで出金処理が行われる。一方、管理者が硬貨処理装置１を使用する場合には第１モードで出金処理が行われる。
【００６４】
硬貨処理装置１は、出金処理を行う時刻、曜日、日、月の少なくともいずれか１つに基づいて、出金モードを自動的に切り替えることができる。例えば、利用者は、時刻、曜日、日、月の少なくともいずれか１つによって期間を指定して、該指定期間に出金モードを関連付けた設定情報を記憶部１００に準備する。硬貨処理装置１の制御部１１０は、出金処理を行う際に記憶部１００の設定情報を参照し、出金処理の開始日時に基づいて出金モードを認識する。制御部１１０は、認識した出金モードで出金処理を実行する。
【００６５】
例えば、硬貨処理装置１が店舗で使用される場合、店舗は、店舗が忙しい繁忙期を指定して、繁忙期には一時保留処理を行わない第１モードで出金処理を行い、繁忙期以外は一時保留処理を行う第２モードで出金処理を行うように記憶部１００に設定情報を準備する。これにより、繁忙期でない場合には、出金する硬貨を識別計数する第３モードで出金処理が行われる。一方、繁忙期である場合には、第１モードで出金処理を行うことにより、短時間で出金処理を終えることができる。期間の設定については、繁忙期を指定して出金モードと関連付ける設定の他、閑散期を指定して出金モードと関連付ける設定とすることもできる。
【００６６】
硬貨処理装置１は、操作表示部３で行われた操作、記憶部１００に保存された情報、硬貨処理部２が行った処理内容の少なくともいずれか１つに基づいて、出金モードを自動的に切り替えることができる。
【００６７】
例えば、利用者は、出金する硬貨を繰り出す全ての収納部４０それぞれが１金種の硬貨を収納している場合は第１モードが選択され、少なくとも１つの収納部４０が複数金種の硬貨を混在収納している場合は第３モードが選択されるように記憶部１００に設定情報を準備する。すなわち、収納部４０が繰り出す硬貨全ての金種を確定できる確定状態である場合は、識別処理を行わない出金モードが選択され、硬貨全ての金種を確定できない不確定状態である場合は、識別処理を行う出金モードが選択されるように設定情報を準備する。制御部１１０は、出金処理を行う際に、確定状態であるか不確定状態であるかを判定する。制御部１１０は、記憶部１００の設定情報を参照し、判定結果に基づいて出金モードを認識する。制御部１１０は、認識した出金モードで出金処理を実行する。
【００６８】
例えば、収納部４０それぞれが１金種の硬貨を収納するよう設定され、かつ、識別部７０で識別された硬貨が収納部４０に収納されている場合、制御部１１０は、収納部４０内にそれぞれ１金種の硬貨が収納された確定状態であると判定する。よって、制御部１１０は、設定情報に基づいて、第１モード、すなわち識別処理を行わない出金モードで、出金処理を行う。
【００６９】
例えば、利用者が少なくとも１つの収納部４０に２金種以上の硬貨を収納するよう設定した場合、制御部１１０は、不確定状態であると判定する。利用者が手作業で収納部４０に硬貨を補充した可能性がある場合、すなわち識別部７０で識別していない硬貨が収納部４０に収納された可能性がある場合も、これを検知した制御部１１０は、不確定状態であると判定する。
【００７０】
硬貨処理装置１は、収納部４０の１つが故障して使用できなくなった場合、この収納部４０に収納していた金種の硬貨を、別の収納部４０に収納するように収納部４０の設定を自動変更する機能を有する。この機能により、１つの収納部４０に複数金種の硬貨を収納することになった場合も、制御部１１０は、収納部４０に複数金種が収納された不確定状態であると判定する。
【００７１】
硬貨処理装置１で発生したエラーにより、収納部４０に収納された硬貨の金種を確定できなくなる場合がある。この場合も、制御部１１０は不確定状態であると判定する。例えば、搬送エラーにより、少なくとも１つの収納部４０に複数金種の硬貨が収納された可能性がある場合に、これを検知した制御部１１０は、不確定状態であると判定する。
【００７２】
確定状態であるか、不確定状態であるかの判定は、制御部１１０が、操作表示部３で行われた操作、記憶部１００に保存された収納部４０の設定情報、及び硬貨処理部２が行った硬貨の処理内容を検知することによって行われる。
【００７３】
不確定状態であると判定した場合、制御部１１０は、設定情報に基づいて、第３モード、すなわち識別処理を行う出金モードで、出金処理を行う。出金する硬貨の識別処理を行うことにより、制御部１１０は、収納部４０が繰り出した硬貨の金種が、出金対象の金種であった場合には出金部２０に出金し、出金対象外の金種であった場合には繰出元の収納部４０へ戻すことができる。
【００７４】
例えば、金種Ａの硬貨と金種Ｂの硬貨とが混在収納された収納部４０ａから、金種Ａの硬貨を出金するものとする。この場合、収納部４０ａから金種Ａの硬貨を繰り出すが、出金対象外の金種Ｂの硬貨が繰り出される可能性がある。第３モードでは、識別部７０が、収納部４０から繰り出された各硬貨の金種を識別する。識別部７０が識別した硬貨が金種Ａの硬貨であった場合、制御部１１０は、該硬貨を出金部２０に出金する。一方、金種Ｂの硬貨であった場合、制御部１１０は、該硬貨を搬送路のシュート５１から元の収納部４０ａへ戻す。これにより、複数金種の硬貨が混在収納された収納部４０ａから、出金対象金種の硬貨を出金することができる。
【００７５】
硬貨処理装置１の出金モードは、利用者による手動操作で切り替えられる設定とすることもできるし、制御部１１０による自動制御で切り替えられる設定とすることもできるし、手動操作及び自動制御によって切り替えられる設定とすることもできる。
【００７６】
図１０は、手動操作及び自動制御による出金モードの切替方法を示すフローチャートである。利用者が操作表示部３で出金処理を開始するための操作を行うと、硬貨処理装置１の制御部１１０は、予め記憶部１００に保存された設定情報に基づいて出金モードを設定する（ステップＳ１）。
【００７７】
例えば、制御部１１０は、利用者のＩＤ情報に基づいて出金モードを選択することができる。また、例えば、制御部１１０は、これから出金する硬貨が収納されている収納部４０の状況を確認し、確定状態であるか不確定状態であるかに基づいて出金モードを選択することもできる。
【００７８】
自動制御による出金モードの選択は、１つの条件に基づいて行われる態様に限定されず、複数の条件に基づいて行われる態様であってもよい。複数の条件に基づいて出金モードを選択する場合には、各条件の優先度に基づいて出金モードが決定される。例えば、利用者のＩＤ情報に基づく選択結果よりも、収納部４０が確定状態であるか否かに基づく選択結果の方が優先度が高く設定される。
【００７９】
具体的には、利用者のＩＤ情報が、識別処理を行わない第１モードと関連付けられ、かつ、収納部４０が不確定状態である場合は、識別処理を行う第３モードを選択するよう設定されているとする。この利用者が出金処理を行う際には自動的に第１モードが選択されるが、収納部４０が不確定状態である場合は、出金モードがさらに第１モードから第３モードに自動的に切り替えられる。
【００８０】
出金処理を開始する際、制御部１１０が出金モードを自動選択するが、利用者は、自動選択された出金モードを手動操作によって変更することもできる。利用者が出金モードの変更操作を行うと（ステップＳ２；Ｙｅｓ）、制御部１１０は、この利用者が出金モード変更の操作権限を有するか否かを判定する（ステップＳ３）。この判定は、記憶部１００に、操作権限を有する利用者のＩＤ情報を予め設定することによって行われる。記憶部１００の設定情報に基づいて、利用者が、出金モード変更の操作権限を有することが確認できた場合（ステップＳ３；Ｙｅｓ）、制御部１１０は、利用者が手動で指定した出金モードに変更して（ステップＳ４）、変更後の出金モードで出金処理を実行する（ステップＳ５）。
【００８１】
一方、利用者が出金モードの変更操作を行わなかった場合（ステップＳ２；Ｎｏ）、及び利用者が出金モード変更の操作権限を有さない場合（ステップＳ３；Ｎｏ）、制御部１１０は、ステップＳ１で設定した出金モードで出金処理を実行する（ステップＳ５）。
【００８２】
硬貨処理装置１の制御部１１０は、出金処理中に、硬貨処理部２で行われた処理、及び操作表示部３で行われた処理を監視している。制御部１１０は、監視によって得られた情報に基づいて出金モードを自動制御することができる。
【００８３】
例えば、硬貨処理装置１が出金処理を行っている間にエラーが発生して、収納部４０に収納中の硬貨の金種を１金種に確定できなくなった場合、制御部１１０は、不確定状態となったことを示す情報を記憶部１００に保存する。次に出金処理が行われる際、制御部１１０は、記憶部１００に保存した情報に基づいて、出金モードを、識別処理を行う出金モードに自動的に切り替える。
【００８４】
硬貨処理装置１の制御部１１０は、出金処理を行っていないときも、硬貨処理部２で行われた処理、及び操作表示部３で行われた操作を監視している。制御部１１０は、監視によって得られた情報に基づいて出金モードを自動制御することができる。
【００８５】
例えば、収納部４０が設けられたユニットが硬貨処理部２の外に引き出されて、手作業による収納部４０への硬貨の補充が行われた場合、制御部１１０は、硬貨処理部２の各部に設けられたセンサによって、これを検知する。制御部１１０は、手作業による硬貨補充が行われた可能性があることを検知すると、少なくとも１つの収納部４０に収納中の硬貨の金種が１金種に確定できなくなったと判定し、不確定状態になったことを示す情報を記憶部１００に保存する。次に出金処理が行われる際、制御部１１０は、記憶部１００に保存した情報に基づいて、出金モードを、識別処理を行う出金モードに自動的に切り替える。
【００８６】
制御部１１０がどのような事象を検知したときに第１〜第４モードのいずれを選択するかは予め設定できるようになっている。利用者は、事象の種類と出金モードとを関連付けた設定情報を記憶部１００に準備する。制御部１１０は、この設定情報に基づいて、事象を検知するための監視を行って監視結果を記憶部１００に記録すると共に、検知した事象に基づいて出金モードを切り替える。
【００８７】
本実施形態では、硬貨処理装置１が硬貨処理部２及び操作表示部３を含む態様を示したが、硬貨処理装置の構成がこれに限定されるものではない。例えば、硬貨処理部２を硬貨処理装置、操作表示部３を操作端末とする態様であってもよい。また、硬貨処理部２が操作表示部３を含み、硬貨処理装置として機能する態様であってもよい。
【００８８】
本実施形態では、一時保留部９０が第１一時保留部９０ａ及び第２一時保留部９０ｂを含む態様を示したが、図５に示す４種類の出金処理を実現することができれば、１つの構成部によって一時保留処理を行う態様であってもよいし、３つ以上の構成部によって一時保留処理を行う態様であってもよい。
【００８９】
本実施形態では、繰出部８０が一時保留部９０としても機能する態様を示したが、図５に示す４種類の出金処理を実現することができれば、繰出部８０が一時保留部９０の機能を兼ねず、繰出部８０から独立した一時保留部９０を利用する態様であってもよい。
【００９０】
本実施形態では、予め準備された設定情報に基づいて所定の出金モードが選択される態様を示したが、出金モードは例示であって、他の出金モードに設定される態様であってもよい。どのような場合にどの出金モードに設定するかは、硬貨処理装置１の利用者が利用方法に応じて適宜選択することができる。
【００９１】
本実施形態では、図７に示すように、識別処理を行わず一時保留処理を行う第２モードでは、第１一時保留部９０ａが一時保留処理を行う態様を示したが、第２モードが本態様に限定されるものではない。例えば、図９（ａ）〜（ｃ）に示すように、収納部４０が繰り出した硬貨を繰出部８０から繰り出して、識別部７０による識別処理は行わずに第２一時保留部９０ｂに搬送し、第２一時保留部９０ｂが一時保留処理を行う態様であってもよい。ゲート９１ａ及び９１ｂを開いて第２一時保留部９０ｂの硬貨を出金部２０に放出すれば第２モードの出金処理を実現することができる。出金処理に要する時間を短くするためには、第２モードの出金を図７に示す態様で行うことが好ましいが、それ以外の態様を排除するものではない。
【００９２】
識別処理及び一時保留処理を行わない第１モードについても、図６に示すように、繰出部８０のゲート９１ａを開いて出金部２０に硬貨を出金する態様を示したが、第１モードが本態様に限定されるものではない。例えば、図８（ａ）及び（ｂ）に示すように、収納部４０が繰り出した硬貨を繰出部８０から繰り出して、識別部７０による識別処理は行わずに出金部２０へ搬送して出金する態様であってもよい。出金処理に要する時間を短くするためには、第１モードの出金を図６に示す態様で行うことが好ましいが、それ以外の態様を排除するものではない。
【００９３】
上述したように、硬貨処理装置は、複数種類の出金モードで出金処理を行うことができる。一時保留処理を必要とするか、及び識別処理を必要とするかに応じて、出金モードを選択することができる。これにより、利用態様が異なる様々な利用者の要望に対応することができる。
【００９４】
出金モードの変更は、手動で行うこともできるし、自動で行うこともできる。利用者が、出金モードを変更する条件を予め準備すれば、硬貨処理装置が、この設定に基づいて出金モードを自動的に変更する。利用者は、出金モードの変更条件を複数種類設定することができる。利用者は、複数の変更条件について優先度を設定することもできる。これにより、利用者の要望に応じた設定で出金処理を行うことができる。
【産業上の利用可能性】
【００９５】
以上のように、本発明に係る硬貨処理装置及び貨幣処理方法は、硬貨処理装置の利用態様に応じて硬貨の出金処理の処理内容を変更するために有用である。
【符号の説明】
【００９６】
１  硬貨処理装置
２  硬貨処理部
３  操作表示部
１０  入金部
２０  出金部
３０  カセット
４０（４０ａ〜４０ｈ）  収納部
５０（５０ａ、５０ｂ）  搬送部
５１（５１ａ〜５１ｃ）  シュート
７０  識別部
８０  繰出部
９０（９０ａ、９０ｂ）  一時保留部
９１（９１ａ、９１ｂ）  ゲート
１００  記憶部
１１０  制御部
【図１】
2020190824.tif 000003
【図２】
2020190824.tif 000004
【図３】
2020190824.tif 000005
【図４】
2020190824.tif 000006
【図５】
2020190824.tif 000007
【図６】
2020190824.tif 000008
【図７】
2020190824.tif 000009
【図８】
2020190824.tif 000010
【図９】
2020190824.tif 000011
【図１０】
2020190824.tif 000012